【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得手段と、
前記取得された射影核テンソルから第１の設定で特定した条件に該当する第１のサブ核テンソルを生成する第１のサブ核テンソル生成手段と、
前記取得された射影核テンソルから第２の設定で特定した条件に該当する第２のサブ核テンソルを生成する第２のサブ核テンソル生成手段と、
処理の対象とする入力画像の高周波成分、又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
を備えることを特徴とする画像処理装置。
【請求項２】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得手段と、
処理の対象とする入力画像の高周波成分又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
を備えることを特徴とする画像処理装置。
【請求項３】
請求項１又は２に記載の画像処理装置において、
前記情報取得手段は、前記第１画質画像と前記第２画質画像との高周波成分を対とした画像対を含む学習画像群から射影演算によって生成された固有射影行列、及び前記学習画像群及び前記固有射影行列から生成された射影核テンソルを取得し、
前記フィルタ手段は、前記入力画像の高周波成分を抽出した高周波成分画像を生成するとともに、
前記低周波成分抑制画像を前記固有射影行列と前記第１のサブ核テンソルを利用した第１の射影演算によって射影して前記中間固有空間における係数ベクトルを算出する第１のサブテンソル射影手段及び前記第２のサブテンソル射影手段は、前記高周波成分画像から高周波成分の射影画像を生成して、入力画像において表現される周波数領域を超える高周波領域の画像情報を生成することを特徴する画像処理装置。
【請求項４】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算により生成された固有射影行列を生成する固有射影行列生成手段と、
前記第１画質画像の高周波成分又は高周波成分及び中周波成分と中間固有空間の対応関係と、前記第２画質画像の高周波成分又は高周波成分及び中周波成分と前記中間固有空間の対応関係とを規定した射影核テンソルを生成する射影核テンソル生成手段と、
前記生成された射影核テンソルから第１の設定で特定した条件に該当する第１のサブ核テンソルを生成する第１のサブ核テンソル取得手段と、
前記生成された射影核テンソルから第２の設定で特定した条件に該当する第２のサブ核テンソルを生成する第２のサブ核テンソル取得手段と、
処理の対象とする入力画像の高周波成分又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して前記中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
を備えることを特徴とする画像処理装置。
【請求項５】
請求項４に記載の画像処理装置において、
前記固有射影行列生成手段は、前記第１画質画像と前記第２画質画像との高周波成分を対とした画像対を含む学習画像群から射影演算によって前記固有射影行列を生成し、
前記射影核テンソル生成手段は、前記学習画像群及び前記固有射影行列から射影核テンソルを生成し、
前記フィルタ手段は、前記入力画像の高周波成分を抽出した高周波成分画像を生成するとともに、
前記低周波成分抑制画像を前記固有射影行列と前記第１のサブ核テンソルを利用した第１の射影演算によって射影して前記中間固有空間における係数ベクトルを算出する第１のサブテンソル射影手段及び前記第２のサブテンソル射影手段は、前記高周波成分画像から高周波成分の射影画像を生成して、入力画像において表現される周波数領域を超える高周波領域の画像情報を生成することを特徴する画像処理装置。
【請求項６】
請求項１乃至５のいずれかに記載の画像処理装置において、
第１画質画像の高周波成分及び中周波成分は、前記第１画質画像に対して前記フィルタ手段と同一の処理を施して抽出されるとともに、第２画質画像の高周波成分及び中周波成分は、第２画質画像に対して前記フィルタ手段と同一の処理を施して抽出されることを特徴とする画像処理装置。
【請求項７】
請求項１乃至６のいずれかに記載の画像処理装置において、
前記加算手段によって加算される前記射影画像及び前記変換画像に対して重み付けをする重み係数を決定する重み係数決定手段を備えたことを特徴とする画像処理装置。
【請求項８】
請求項１乃至７のいずれかに記載の画像処理装置において、
前記フィルタ手段は、入力画像におけるナイキスト周波数に基づいた周波数以上の成分を抽出する処理を施すことを特徴とする画像処理装置。
【請求項９】
請求項１乃至８のいずれかに記載の画像処理装置において、
前記第１画質画像は、前記画像対において相対的に低画質の画像であり、
前記第２画質画像は、前記画像対において相対的に高画質の画像であり、
前記変換画像は、前記入力画像よりも高画質の画像であることを特徴とする画像処理装置。
【請求項１０】
請求項１乃至９のいずれかに記載の画像処理装置において、
前記第１の設定は、前記第１画質画像を前記中間固有空間に射影する射影関係を指定するものであり、
前記第２の設定は、前記第２画質画像を前記中間固有空間に射影する射影関係を指定するものであることを特徴とする画像処理装置。
【請求項１１】
請求項１乃至１０のいずれか１項に記載の画像処理装置において、
前記射影演算は、局所性保存射影（ＬＰＰ；locality preserving projection）、局所線形埋込み（ＬＬＥ；locally linear embedding）、線形接空間位置合せ（ＬＴＳＡ；linear tangent-space alignment）のうち、いずれかであることを特徴とする画像処理装置。
【請求項１２】
請求項１乃至１１のいずれか１項に記載の画像処理装置において、
前記学習画像群は、人物の顔を対象にした前記画像対を含み、
前記中間固有空間は、個人差固有空間であることを特徴とする画像処理装置。
【請求項１３】
請求項１乃至１２のいずれか１項に記載の画像処理装置において、
入力された画像内から第１特徴領域を特定する第１特徴領域特定手段と、
前記入力された画像について前記第１特徴領域の画像部分を第１の圧縮強度で圧縮する一方、これら特徴領域以外の画像部分を前記第１の圧縮強度よりも高い圧縮強度の第２の圧縮強度で圧縮する圧縮処理手段と、
少なくとも第１の特徴領域を前記第１のサブテンソル射影手段及び前記第２のサブテンソル射影手段により射影して画質を変更する画質変更処理手段と、
を備えたことを特徴とする画像処理装置。
【請求項１４】
請求項１乃至１３のいずれかに記載の画像処理装置において、
前記射影演算は局所関係を利用した射影演算を含むことを特徴とする画像処理装置。
【請求項１５】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得工程と、
前記取得された射影核テンソルから第１の設定で特定した条件に該当する第１のサブ核テンソルを生成する第１のサブ核テンソル生成工程と、
前記取得された射影核テンソルから第２の設定で特定した条件に該当する第２のサブ核テンソルを生成する第２のサブ核テンソル生成工程と、
処理の対象とする入力画像の高周波成分又は高周波成分及び中周波成分が抽出された低周波成分抑制画像を生成するフィルタ処理工程と、
前記低周波成分抑制画像を前記固有射影行列と前記第１のサブ核テンソルを利用した第１の射影演算によって射影して中間固有空間における係数ベクトルを算出する第１のサブテンソル射影工程と、
前記算出された前記係数ベクトルを前記第２のサブ核テンソルと前記固有射影行列とを利用した第２の射影演算によって射影して前記低周波成分抑制画像から射影画像を生成する第２のサブテンソル射影工程と、
前記入力画像と異なる画質の変換画像を生成する画像変換工程と、
前記射影画像と前記変換画像とを加算する加算工程と、
を含むことを特徴とする画像処理方法。
【請求項１６】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得工程と、
処理の対象とする入力画像の高周波成分又は高周波成分及び中周波成分が抽出された低周波成分抑制画像を生成するフィルタ処理工程と、
前記低周波成分抑制画像を前記固有射影行列と前記第１のサブ核テンソルを利用した第１の射影演算によって射影して中間固有空間における係数ベクトルを算出する第１のサブテンソル射影工程と、
前記算出された前記係数ベクトルを前記第２のサブ核テンソルと前記固有射影行列とを利用した第２の射影演算によって射影して前記低周波成分抑制画像から射影画像を生成する第２のサブテンソル射影工程と、
前記入力画像と異なる画質の変換画像を生成する画像変換工程と、
前記射影画像と前記変換画像とを加算する加算工程と、
を含むことを特徴とする画像処理方法。
【請求項１７】
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算により生成された固有射影行列を生成する固有射影行列生成工程と、
前記第１画質画像の高周波成分と中間固有空間の対応関係と、前記第２画質画像の高周波成分と前記中間固有空間の対応関係とを規定した射影核テンソルを生成する射影核テンソル生成工程と、
前記生成された射影核テンソルから第１の設定で特定した条件に該当する第１のサブ核テンソルを生成する第１のサブ核テンソル取得工程と、
前記生成された射影核テンソルから第２の設定で特定した条件に該当する第２のサブ核テンソルを生成する第２のサブ核テンソル取得工程と、
処理の対象とする入力画像の高周波成分又は高周波成分及び中周波成分が抽出された低周波成分抑制画像を生成するフィルタ処理工程と、
前記低周波成分抑制画像を前記固有射影行列と前記第１のサブ核テンソルを利用した第１の射影演算によって射影して前記中間固有空間における係数ベクトルを算出する第１のサブテンソル射影工程と、
前記算出された前記係数ベクトルを前記第２のサブ核テンソルと前記固有射影行列とを利用した第２の射影演算によって射影して前記低周波成分抑制画像から射影画像を生成する第２のサブテンソル射影工程と、
前記入力画像と異なる画質の変換画像を生成する画像変換工程と、
前記射影画像と前記変換画像とを加算する加算工程と、
を含むことを特徴とする画像処理方法。
【請求項１８】
請求項１５乃至１７のいずれかに記載の画像処理方法において、
前記射影演算は局所関係を利用した射影演算を含むことを特徴とする画像処理方法。
【請求項１９】
コンピュータを、
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得手段と、
前記取得された射影核テンソルから第１の設定で特定した条件に該当する第１のサブ核テンソルを生成する第１のサブ核テンソル生成手段と、
前記取得された射影核テンソルから第２の設定で特定した条件に該当する第２のサブ核テンソルを生成する第２のサブ核テンソル生成手段と、
処理の対象とする入力画像の高周波成分又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
として機能させるためのプログラム。
【請求項２０】
コンピュータを、
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得手段と、
処理の対象とする入力画像の高周波成分又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
として機能させるためのプログラム。
【請求項２１】
コンピュータを、
互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算により生成された固有射影行列を生成する固有射影行列生成手段と、
前記第１画質画像の高周波成分又は高周波成分及び中周波成分と中間固有空間の対応関係と、前記第２画質画像の高周波成分又は高周波成分及び中周波成分と前記中間固有空間の対応関係とを規定した射影核テンソルを生成する射影核テンソル生成手段と、
前記生成された射影核テンソルから第１の設定で特定した条件に該当する第１のサブ核テンソルを生成する第１のサブ核テンソル取得手段と、
前記生成された射影核テンソルから第２の設定で特定した条件に該当する第２のサブ核テンソルを生成する第２のサブ核テンソル取得手段と、
処理の対象とする入力画像の高周波成分又は高周波成分及び中周波成分が抽出された低周波成分抑制画像を生成するフィルタ手段と、
前記低周波成分抑制画像を前記固有射影行列と前記第１のサブ核テンソルを利用した第１の射影演算によって射影して前記中間固有空間における係数ベクトルを算出する第１のサブテンソル射影手段と、
前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、
前記入力画像と異なる画質の変換画像を生成する画像変換手段と、
前記射影画像と前記変換画像とを加算する加算手段と、
として機能させるためのプログラム。
【請求項２２】
請求項１９乃至２１のいずれかに記載のプログラムにおいて、
前記射影演算は局所関係を利用した射影演算を含むことを特徴とするプログラム。
【請求項２３】
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得手段と、
処理の対象とする入力データの高周波成分、又は高周波成分及び中周波成分が抽出された低周波成分抑制入力データを生成するフィルタ手段と、
前記低周波成分抑制入力データを、前記情報取得手段から取得した前記固有射影行列と前記射影核テンソルを利用した第１の射影演算によって射影して中間固有空間における係数ベクトルを算出する第１のサブテンソル射影手段と、
を備えることを特徴とするデータ処理装置。
【請求項２４】
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルであって、前記第１条件のデータと中間固有空間の対応関係並びに前記第２条件のデータと前記中間固有空間の対応関係とを規定した射影核テンソルから、第１の設定で特定した条件に該当するものとして作成された第１のサブ核テンソルと、を取得する情報取得手段と、
処理の対象とする入力データの高周波成分、又は高周波成分及び中周波成分が抽出された低周波成分抑制入力データを生成するフィルタ手段と、
前記低周波成分抑制入力データを、前記情報取得手段から取得した前記固有射影行列と前記第１のサブ核テンソルを利用した第１の射影演算によって射影して前記中間固有空間における係数ベクトルを算出する第１のサブテンソル射影手段と、
を備えることを特徴とするデータ処理装置。
【請求項２５】
請求項２３又は２４に記載のデータ処理装置において、
前記射影演算は局所関係を利用した射影演算を含むことを特徴とするデータ処理装置。
【請求項２６】
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得工程と、
処理の対象とする入力データの高周波成分、又は高周波成分及び中周波成分が抽出された低周波成分抑制入力データを生成するフィルタ工程と、
前記低周波成分抑制入力データを、前記情報取得工程により取得した前記固有射影行列と前記射影核テンソルを利用した第１の射影演算によって射影して中間固有空間における係数ベクトルを算出する第１のサブテンソル射影工程と、
を含むことを特徴とするデータ処理方法。
【請求項２７】
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルであって、前記第１条件のデータと中間固有空間の対応関係並びに前記第２条件のデータと前記中間固有空間の対応関係とを規定した射影核テンソルから、第１の設定で特定した条件に該当するものとして作成された第１のサブ核テンソルと、を取得する情報取得工程と、
処理の対象とする入力データの高周波成分、又は高周波成分及び中周波成分が抽出された低周波成分抑制入力データを生成するフィルタ工程と、
前記低周波成分抑制入力データを、前記情報取得工程により取得した前記固有射影行列と前記第１のサブ核テンソルを利用した第１の射影演算によって射影して前記中間固有空間における係数ベクトルを算出する第１のサブテンソル射影工程と、
を含むことを特徴とするデータ処理方法。
【請求項２８】
請求項２６又は２７に記載のデータ処理方法において、
前記射影演算は局所関係を利用した射影演算を含むことを特徴とするデータ処理方法。
【請求項２９】
コンピュータを、
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得手段と、
処理の対象とする入力データの高周波成分、又は高周波成分及び中周波成分が抽出された低周波成分抑制入力データを生成するフィルタ手段と、
前記低周波成分抑制入力データを、前記情報取得手段から取得した前記固有射影行列と前記射影核テンソルを利用した第１の射影演算によって射影して中間固有空間における係数ベクトルを算出する第１のサブテンソル射影手段、
として機能させることを特徴とするプログラム。
【請求項３０】
コンピュータを、
互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルであって、前記第１条件のデータと中間固有空間の対応関係並びに前記第２条件のデータと前記中間固有空間の対応関係とを規定した射影核テンソルから、第１の設定で特定した条件に該当するものとして作成された第１のサブ核テンソルと、を取得する情報取得手段と、
処理の対象とする入力データの高周波成分、又は高周波成分及び中周波成分が抽出された低周波成分抑制入力データを生成するフィルタ手段と、
前記低周波成分抑制入力データを、前記情報取得手段から取得した前記固有射影行列と前記第１のサブ核テンソルを利用した第１の射影演算によって射影して前記中間固有空間における係数ベクトルを算出する第１のサブテンソル射影手段と、
として機能させることを特徴とするプログラム。
【請求項３１】
請求項２９又は３０に記載のプログラムにおいて、
前記射影演算は局所関係を利用した射影演算を含むことを特徴とするプログラム。
【手続補正２】
【補正対象書類名】明細書
【補正対象項目名】００１３
【補正方法】変更
【補正の内容】
【００１３】
発明１に係る画像処理装置は、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得手段と、前記取得された射影核テンソルから第１の設定で特定した条件に該当する第１のサブ核テンソルを生成する第１のサブ核テンソル生成手段と、前記取得された射影核テンソルから第２の設定で特定した条件に該当する第２のサブ核テンソルを生成する第２のサブ核テンソル生成手段と、処理の対象とする入力画像の高周波成分又は高周波成分及び中周波成分が抽出された低周波成分抑制画像を生成するフィルタ手段と、前記低周波成分抑制画像を前記固有射影行列と前記第１のサブ核テンソルを利用した第１の射影演算によって射影して中間固有空間における係数ベクトルを算出する第１のサブテンソル射影手段と、前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、前記入力画像と異なる画質の変換画像を生成する画像変換手段と、前記射影画像と前記変換画像とを加算する加算手段と、を備えることを特徴とする。
【手続補正３】
【補正対象書類名】明細書
【補正対象項目名】００１８
【補正方法】変更
【補正の内容】
【００１８】
発明２に係る画像処理装置は、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得手段と、処理の対象とする入力画像の高周波成分又は高周波成分及び中周波成分が抽出された低周波成分抑制画像を生成するフィルタ手段と、前記低周波成分抑制画像を前記固有射影行列と前記第１のサブ核テンソルを利用した第１の射影演算によって射影して中間固有空間における係数ベクトルを算出する第１のサブテンソル射影手段と、前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、前記入力画像と異なる画質の変換画像を生成する画像変換手段と、前記射影画像と前記変換画像とを加算する加算手段と、を備えることを特徴とする。
【手続補正４】
【補正対象書類名】明細書
【補正対象項目名】００２９
【補正方法】変更
【補正の内容】
【００２９】
発明９に記載の画像処理装置は、発明１乃至８のいずれかに記載の画像処理装置において、前記第１画質画像は、前記画像対において相対的に低画質の画像であり、前記第２画質画像は、前記画像対において相対的に高画質の画像であり、前記変換画像は、前記入力画像よりも高画質の画像であることを特徴とする。
【手続補正５】
【補正対象書類名】明細書
【補正対象項目名】００３６
【補正方法】変更
【補正の内容】
【００３６】
発明１５に係る画像処理方法は、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得工程と、前記取得された射影核テンソルから第１の設定で特定した条件に該当する第１のサブ核テンソルを生成する第１のサブ核テンソル生成工程と、前記取得された射影核テンソルから第２の設定で特定した条件に該当する第２のサブ核テンソルを生成する第２のサブ核テンソル生成工程と、処理の対象とする入力画像の高周波成分又は高周波成分及び中周波成分が抽出された低周波成分抑制画像を生成するフィルタ処理工程と、前記低周波成分抑制画像を前記固有射影行列と前記第１のサブ核テンソルを利用した第１の射影演算によって射影して中間固有空間における係数ベクトルを算出する第１のサブテンソル射影工程と、前記算出された前記係数ベクトルを前記第２のサブ核テンソルと前記固有射影行列とを利用した第２の射影演算によって射影して前記低周波成分抑制画像から射影画像を生成する第２のサブテンソル射影工程と、前記入力画像と異なる画質の変換画像を生成する画像変換工程と、前記射影画像と前記変換画像とを加算する加算工程と、を含むことを特徴とする。
【手続補正６】
【補正対象書類名】明細書
【補正対象項目名】００３７
【補正方法】変更
【補正の内容】
【００３７】
発明１６に係る画像処理方法は、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得工程と、処理の対象とする入力画像の高周波成分又は高周波成分及び中周波成分が抽出された低周波成分抑制画像を生成するフィルタ処理工程と、前記低周波成分抑制画像を前記固有射影行列と前記第１のサブ核テンソルを利用した第１の射影演算によって射影して中間固有空間における係数ベクトルを算出する第１のサブテンソル射影工程と、前記算出された前記係数ベクトルを前記第２のサブ核テンソルと前記固有射影行列とを利用した第２の射影演算によって射影して前記低周波成分抑制画像から射影画像を生成する第２のサブテンソル射影工程と、前記入力画像と異なる画質の変換画像を生成する画像変換工程と、前記射影画像と前記変換画像とを加算する加算工程と、を含むことを特徴とする。
【手続補正７】
【補正対象書類名】明細書
【補正対象項目名】００４０
【補正方法】変更
【補正の内容】
【００４０】
発明１９に係るプログラムは、コンピュータを、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成された固有射影行列、及び前記学習画像群及び前記固有射影行列から生成された射影核テンソルを取得する情報取得手段と、前記取得された射影核テンソルから第１の設定で特定した条件に該当する第１のサブ核テンソルを生成する第１のサブ核テンソル生成手段と、前記取得された射影核テンソルから第２の設定で特定した条件に該当する第２のサブ核テンソルを生成する第２のサブ核テンソル生成手段と、処理の対象とする入力画像の高周波成分又は高周波成分及び中周波成分が抽出された低周波成分抑制画像を生成するフィルタ手段と、前記低周波成分抑制画像を前記固有射影行列と前記第１のサブ核テンソルを利用した第１の射影演算によって射影して中間固有空間における係数ベクトルを算出する第１のサブテンソル射影手段と、前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、前記入力画像と異なる画質の変換画像を生成する画像変換手段と、前記射影画像と前記変換画像とを加算する加算手段と、として機能させることを特徴とする。
【手続補正８】
【補正対象書類名】明細書
【補正対象項目名】００４１
【補正方法】変更
【補正の内容】
【００４１】
発明２０に係るプログラムは、コンピュータを、互いに画質の異なる第１画質画像と第２画質画像との高周波成分を対とした画像対、及び前記第１画質画像と前記第２画質画像との高周波成分及び中周波成分を対とした画像対の少なくともいずれかを含んだ学習画像群から射影演算によって生成される固有射影行列、及び前記学習画像群と前記固有射影行列から生成された射影核テンソルを用いて生成された第１の設定で特定した条件に該当する第１のサブ核テンソル、前記射影核テンソルを用いて生成された第２の設定で特定した条件に該当する第２のサブ核テンソル、を取得する情報取得手段と、処理の対象とする入力画像の高周波成分又は高周波成分及び中周波成分が抽出された低周波成分抑制画像を生成するフィルタ手段と、前記低周波成分抑制画像を前記固有射影行列と前記第１のサブ核テンソルを利用した第１の射影演算によって射影して中間固有空間における係数ベクトルを算出する第１のサブテンソル射影手段と、前記算出された前記係数ベクトルを前記第２のサブ核テンソルと前記固有射影行列とを利用した第２の射影演算によって射影して前記低周波成分抑制画像から射影画像を生成する第２のサブテンソル射影手段と、前記入力画像と異なる画質の変換画像を生成する画像変換手段と、前記射影画像と前記変換画像とを加算する加算手段と、として機能させることを特徴とする。
【手続補正９】
【補正対象書類名】明細書
【補正対象項目名】００４４
【補正方法】変更
【補正の内容】
【００４４】
発明２３に係るデータ処理装置は、互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得手段と、処理の対象とする入力データの高周波成分、又は高周波成分及び中周波成分が抽出された低周波成分抑制入力データを生成するフィルタ手段と、前記低周波成分抑制入力データを、前記情報取得手段から取得した前記固有射影行列と前記射影核テンソルを利用した第１の射影演算によって射影して中間固有空間における係数ベクトルを算出する第１のサブテンソル射影手段と、を備えることを特徴とする。
【手続補正１０】
【補正対象書類名】明細書
【補正対象項目名】００４７
【補正方法】変更
【補正の内容】
【００４７】
発明２６に係るデータ理方法は、互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得工程と、処理の対象とする入力データの高周波成分、又は高周波成分及び中周波成分が抽出された低周波成分抑制入力データを生成するフィルタ工程と、前記低周波成分抑制入力データを、前記情報取得工程により取得した前記固有射影行列と前記射影核テンソルを利用した第１の射影演算によって射影して中間固有空間における係数ベクトルを算出する第１のサブテンソル射影工程と、を含むことを特徴とする。
【手続補正１１】
【補正対象書類名】明細書
【補正対象項目名】００５０
【補正方法】変更
【補正の内容】
【００５０】
発明２９に係るプログラムは、コンピュータを、互いに条件の異なる第１条件のデータと第２条件のデータとの少なくとも中周波成分又は高周波成分を対としたデータ対を含んだ学習データ群から射影演算によって生成された固有射影行列と、前記学習データ群及び前記固有射影行列から生成された射影核テンソルと、を取得する情報取得手段と、処理の対象とする入力データの高周波成分、又は高周波成分及び中周波成分が抽出された低周波成分抑制入力データを生成するフィルタ手段と、前記低周波成分抑制入力データを、前記情報取得手段から取得した固有射影行列と前記射影核テンソルを利用した第１の射影演算によって射影して前記中間固有空間における係数ベクトルを算出する第１のサブテンソル射影手段、として機能させることを特徴とする。